(57)【要約】【課題】瞬間式加熱手段が異常加熱した場合に瞬時に通電をＯＦＦさせ、高温水を出湯させないようにするトイレ装置を提供することを目的とする。【解決手段】瞬間式加熱手段２１の加熱水路２４の一部に感熱板２８を用いて異常加熱温度を確実に感熱板２８を介して瞬時に安全装置（温度ヒューズ）２６に伝えることにより、温度変化への対応がよくなり、瞬間式加熱手段２１が異常加熱時に瞬時に通電をＯＦＦさせ、高温水を出湯させないようにすることができる。【選択図】図１
2005139715.tif 000002
【特許請求の範囲】
【請求項１】
洗浄水を局部に噴出するノズル手段と、ノズル手段に向けて洗浄水を供給する給水手段と、前記ノズル手段に供給する水を瞬間的に温水に加熱する瞬間式加熱手段を有し、前記瞬間式加熱手段の加熱水路の一部を形成し、かつ感熱作用を備えた感熱板と前記感熱板に接触する安全装置を有するトイレ装置。
【請求項２】
感熱板は、瞬間式加熱手段に設けた加熱水路の流水面と略同一平面をもつ流水部を備え、かつ前記加熱水路の隔壁の略延長線を形成する隔壁凸部を備えた請求項１に記載のトイレ装置。
【請求項３】
感熱板は、隔壁凸部をヒータに接触させるようにした請求項１または２に記載のトイレ装置。
【請求項４】
瞬間式加熱手段は、ヒータをケースで覆い、前記ケースにはヒータと接触するリブを感熱板と反対側に設けた請求項３に記載のトイレ装置。
【請求項５】
瞬間式加熱手段のケースに感熱板を固定した際、ヒータがケースのリブを押しつぶすようにした請求項４に記載のトイレ装置。
【発明の詳細な説明】
【技術分野】
【０００１】
本発明は、水を瞬間的に温水に加熱する瞬間式加熱手段を有するトイレ装置に関するものである。
【背景技術】
【０００２】
従来、この種のトイレ装置は、図９に示されているようなものであった（例えば、特許文献１参照）。
【０００３】
図９において、熱交換器１は、貯湯ハウジング２の中に給水管３を差し込み、この給水管３と一体的に形成した電気発熱体を外表面側に埋没する中空筒状セラミック製のヒータ４を、その周りを銅等熱伝導性の良好な金属材料からなるスリーブ５により囲繞して形成した加熱タンク６を備え、この加熱タンク６は内側の流路を先端（図の右方向）に行くほど斜め下向きとした状態で、貯湯ハウジング２に水密構造となして横架・固定されている。  そして、前記貯湯ハウジング２内の加熱タンク６上部の空所を貯湯部７となして、その一部に空焚き防止用のフロートスイッチ８が、洗浄水の流通を妨げない適切な位置で組込まれている。ヒータ４の基端（図の左方向）には、貯湯ハウジング２壁面に設けた膨出部ａに、ハウジング２の上端面から縦方向に通抜孔９を穿孔し、この通抜孔９を介して加熱タンク６と貯湯ハウジング２の貯湯部７とを連通させる。そして、前記通抜孔９の加熱タンク６内に臨む下部開口部ｂには、貯湯ハウジング２の壁面に前記開口部ｂの断面積の約半分を遮る状態で、邪魔板１０が、ハウジング２の壁面と一体となって加熱タンク６内に水平に形成されている。
【０００４】
また、前記通抜孔９の貯湯ハウジング２内に位置する上部には、貯湯部７と連通する開口部ｃが開口されており、前記上下部に開口部ｂ、ｃを有する通抜孔９内には、貯湯ハウジング２の上部に取付けた温度センサ１１の検温部１１ａが、下部開口部ｂから加熱タンク６内に突出しない範囲で挿入されている。また、貯湯ハウジング２の上部中央に加熱防止用のバイメタルスイッチ１２が取付けられている。
【０００５】
次に動作について説明する。不使用時は、熱交換器１内に適温に保温された洗浄水が貯湯部７および加熱タンク６内に貯留されている。この状態で、使用時は、水が熱交換器１に流入すると同時にヒータ４はフル通電を開始する。そして、水はヒータ４の内側から該ヒータ４の外表面とスリーブ５との間を流れている間に、ヒータ４により加熱されて貯湯部７に流入する。一方、熱交換器１内に保温されていた温水は、給水管３から流入する洗浄水により貯湯ハウジング２から順次押し出される。
【０００６】
このように、局部洗浄に際して洗浄水が給水管３を通って熱交換器１内に流入すると、洗浄水はヒータ４により加熱されて温水となる。そして、温水の温度は、加熱タンク６と貯湯部７とを連通させる通抜孔９内に検温部１１ａを挿入した温度センサ１１により検出し、検出温度が事前に設定した温度に対して高、低差がある場合は、制御装置からの指令によりヒータ４を通電（オン・オフ）制御させてあらかじめの設定した所定温度に維持させる。然るに、冷水を熱交換器１により適温水に加熱して給送している場合、給水管３から流入する洗浄水によって加熱タンク６内で、ヒータ４の加熱作用をあまり受けることなく滞留している低温水が、通抜孔９側に押し出されたとき、前記低温水は通抜孔９の方向に直上的に上昇する。
【０００７】
ところが、通抜孔９の下部開口部ｂは、加熱タンク６内において水平に突設した邪魔板１０により約半分程の面積が遮られているので、前記低温水は邪魔板１０に沿って水平方向（加熱タンク６の先端側）に移動し、前記通抜孔９の下部開口部ｂの手前側でヒータ４により加熱されて通抜孔９側に流通する温水と接衝して混合する。そして、前記混合された洗浄水は、そのまま、通抜孔９の下部開口部ｂから上部開口部ｃを通って貯湯部７に押し出される。この際、水はヒータ４により加熱された洗浄水と大部分が混合されるため、この混合された温水は、通抜孔９内を通過する際、温度センサ１１の検温部１１ａにて温度検出が行われるものの、その検出温度は低温水でなく、混合を行った温水で行われるため、前記検出温度は設定温度に近い温度を検出することが可能となっていた。
【特許文献１】特許第３３２５８７４号公報
【発明の開示】
【発明が解決しようとする課題】
【０００８】
しかしながら、前記従来のトイレ装置では、ヒータ４を内蔵した加熱タンク６と加熱防止用のバイメタルスイッチ１２を内蔵した貯湯部７に分離されているために、温度センサ１１故障時にヒータ４が異常過熱した場合、バイメタルスイッチ１２の反応が悪くなり、高温水を出湯するという課題があった。
【０００９】
本発明は、前記従来の課題を解決するもので、瞬間式加熱手段が異常加熱した場合に瞬時に通電をＯＦＦさせ、高温水を出湯させないようにするトイレ装置を提供することを目的とする。
【課題を解決するための手段】
【００１０】
前記従来の課題を解決するために、本発明のトイレ装置は、洗浄水を局部に噴出するノズル手段と、ノズル手段に向けて洗浄水を供給する給水手段と、前記ノズル手段に供給する水を瞬間的に温水に加熱する瞬間式加熱手段を有し、前記瞬間式加熱手段の加熱水路の一部を形成し、かつ感熱作用を備えた感熱板と前記感熱板に接触する安全装置を有するものである。
【００１１】
これにより、瞬間式加熱手段が異常加熱時に瞬時に通電をＯＦＦさせ、高温水を出湯させないようにすることができる。
【発明の効果】
【００１２】
本発明のトイレ装置は、瞬間式加熱手段が異常加熱した場合に瞬時に通電をＯＦＦさせ、高温水を出湯させないようにすることができる。
【発明を実施するための最良の形態】
【００１３】
第１の発明は、洗浄水を局部に噴出するノズル手段と、ノズル手段に向けて洗浄水を供給する給水手段と、前記ノズル手段に供給する水を瞬間的に温水に加熱する瞬間式加熱手段を有し、前記瞬間式加熱手段の加熱水路の一部を形成し、かつ感熱作用を備えた感熱板と前記感熱板に接触する安全装置を有するトイレ装置とすることにより、異常加熱温度を確実に感熱板を介して瞬時に安全装置に伝えることができ、瞬間式加熱手段が異常加熱時に瞬時に通電をＯＦＦさせ、高温水を出湯させないようにすることができる。
【００１４】
第２の発明は、特に、第１の発明における感熱板は、瞬間式加熱手段に設けた加熱水路の流水面と略同一平面をもつ流水部を備え、かつ前記加熱水路の隔壁の略延長線を形成する隔壁凸部を備えたもので、水流の乱れを抑えることにより、加熱水路の一部に感熱板を設けても温度変動を防止することができる。
【００１５】
第３の発明は、特に、第１または第２の発明における感熱板は、隔壁凸部をヒータに接触させるようにしたもので、ヒータの熱が感熱板に直接伝わることにより、ヒータが異常加熱時の安全装置への感知時間を短縮することができる。
【００１６】
第４の発明は、特に、第３の発明における瞬間式加熱手段は、ヒータをケースで覆い、前記ケースにはヒータと接触するリブを感熱板と反対側に設けたもので、ヒータの傾きを抑制することにより、加熱水路の任意の断面を均一にしてスムーズに水が流れるようにすることができる。
【００１７】
第５の発明は、特に、第３の発明における瞬間式加熱手段のケースに感熱板を固定した際、ヒータがケースのリブを押しつぶすようにしたもので、ヒータに確実に感熱板を接触させることにより、ヒータの傾きを抑制し、かつ感熱板にヒータの熱を確実に伝えることができる。
【００１８】
以下、本発明の実施の形態について、図面を参照しながら説明する。なお、この実施の形態によって本発明が限定されるものではない。
【００１９】
（実施の形態１）
図１〜図４は、本発明の実施の形態１におけるトイレ装置を示すものである。
【００２０】
図３および図４において、水道端末に接続された逆止弁１３は、その入口部にストレーナ（図示せず）が内蔵され、また水抜き栓１４が設けられている。逆止弁１３の出口部は定流量弁１５を介して止水電磁弁１６に接続されている。止水電磁弁１６の出口は真空破壊弁１７を介してポンプモータ１８にて駆動される水ポンプ１９の入口に接続されている。真空破壊弁１７は水ポンプ１９の入口側が負圧になったときエアを導入するように構成され、またオーバーフロー水を水タンクに分岐排出するように構成されている。水ポンプ１９の出口は流量センサ２０を介して瞬間式過熱手段２１の入口２１ａに接続され、流量センサ２０による検出流量によってポンプモータ１８を駆動制御することにより、精度良く一定流量の洗浄水を瞬間式過熱手段２１に送給するように構成されている。上記逆止弁１３から流量センサ２０にて給水手段２２が構成されている。
【００２１】
瞬間式過熱手段２１は、ケース２３内に洗浄水が流通する蛇行した加熱水路２４が設けられているとともにこの加熱水路２４に臨ませて平板状セラミック製のヒータ４が配設され、出口２１ｂに温水の温度を検出する温度センサ１１と安全用のサーモスイッチ２５とが配設されている。そして、温度センサ１１の検出信号に応じてヒータ４に対する通電制御を行なうことにより所定温度の温水を得るように構成されている。
【００２２】
また、ヒータ４の異常加熱を防止するため、後述の安全装置（温度ヒューズ）２６（図４参照）が配設されている。瞬間式過熱手段２１の出口２１ｂから送出された温水はノズル手段２７にて局部に噴射される。
【００２３】
次に、瞬間式過熱手段２１の加熱水路２４の詳細構成を図１にて説明する。瞬間式加熱手段２１の加熱水路２４の一部を形成し、かつ感熱作用を備えた感熱板２８と感熱板２８に接触する安全装置（温度ヒューズ）２６が配設されている。
【００２４】
次に、安全制御構成を図２にて説明する。電源２９に対して温水噴出スイッチおよびヒータ４に対する通電と連動するトライアック３０と止水電磁弁１６と安全装置（温度ヒューズ）２６とサーモスイッチ２５が直列に接続されており、安全装置（温度ヒューズ）２６とサーモスイッチ２５の何れが絶たれても止水電磁弁１６に対する通電が停止して直ちに給水が停止されるように構成されている。更に、止水電磁弁１６の両端電圧を検出する検出手段３１が設けられ、その検出信号によってポンプモータ１８に対して通電制御するトランジスタ３２がＯＮし、両端電圧がなくなるとトランジスタ３２がＯＦＦし、従って止水電磁弁１６が開くとポンプモータ１８が駆動され、閉じるとポンプモータ１８も同時に停止するように構成されている。
【００２５】
以上のように構成されたトイレ装置について、以下その動作、作用を説明する。
【００２６】
温水噴出スイッチがＯＮされると、止水電磁弁１６が開くとともに水ポンプ１９が作動して瞬間式過熱手段２１に洗浄水が送給され、瞬間式過熱手段２１で温度センサ１１による検出温度に応じて通電制御されるヒータ４にて洗浄水が所定温度に加温され、ノズル手段２７から局部に噴出される。また、異常加熱時に温度センサ１１が働かない場合は、安全装置（温度ヒューズ）２６とサーモスイッチ２５の何れが絶たれても止水電磁弁１６に対する通電が停止して直ちに給水が停止するようになっている。
【００２７】
以上のように、本実施の形態においては、瞬間式加熱手段２１の加熱水路２４の一部に感熱板２８を用いて異常加熱温度を確実に感熱板２８を介して瞬時に安全装置（温度ヒューズ）２６に伝えることにより、温度変化への対応がよくなり、瞬間式加熱手段２１が異常加熱時に瞬時に通電をＯＦＦさせ、高温水を出湯させないようにすることができる。
【００２８】
本実施の形態にて、安全装置２６として温度ヒューズを採用しているが、サーモスタットやサーミスタ等温度を検知できる他の手段でもよい。
【００２９】
（実施の形態２）
図５は、本発明の実施の形態２におけるトイレ装置の瞬間式加熱手段を示すものである。
【００３０】
本実施の形態において、実施の形態１の構成と異なるところは、感熱板２８は、瞬間式加熱手段２１に設けた加熱水路２４の流水面３３と略同一平面をもつ流水部３４を備え、かつ加熱水路２４の隔壁３５の略延長線を形成する隔壁凸部３６を備えたところである。なお、実施の形態１と同一符号のものは同一構造を有し、説明は省略する。
【００３１】
図において、ケース２３内に設けた洗浄水が流通する蛇行した加熱水路２４の流水面３３と略同一平面をもつ感熱板２８の流水部３４と、加熱水路２４の隔壁３５の略延長線を形成する感熱板２８の隔壁凸部３６を形成しているため、流水がスムーズにケース２３内を流れるようになっている。
【００３２】
以上のように構成することにより、水流の乱れを抑えて、安定して水が流れるようになり、加熱水路２４の一部に感熱板２８を設けても温度変動を防止することができる。
【００３３】
（実施の形態３）
図６は、本発明の実施の形態３におけるトイレ装置の瞬間式加熱手段を示すものである。
【００３４】
本実施の形態において、実施の形態１および２の構成と異なるところは、感熱板２８は、隔壁凸部３６をヒータ４に接触させるようにしたところである。なお、実施の形態１、２と同一符号のものは同一構造を有し、説明は省略する。
【００３５】
図において、ヒータ４が異常加熱すると直接熱が感熱板２８の隔壁凸部３６に伝わり、更に感熱板２８から安全装置（温度ヒューズ）２６に瞬時に熱が伝わるようになっている。
【００３６】
以上のように、本実施の形態においては、ヒータ４の熱が感熱板２８に直接伝わることにより、ヒータ４から感熱板２８への熱伝導時間が早くなり、ヒータ４が異常加熱時の安全装置（温度ヒューズ）２６への感知時間を短縮することができる。
【００３７】
（実施の形態４）
図７は、本発明の実施の形態４におけるトイレ装置の瞬間式加熱手段を示すものである。
【００３８】
本実施の形態において、実施の形態１〜３の構成と異なるところは、ケース２３にはヒータ４と接触するリブ３７を感熱板２８と反対側に設けたところである。なお、実施の形態１〜３と同一符号のものは同一構造を有し、説明は省略する。
【００３９】
図において、ヒータ４が感熱板２８の隔壁凸部３６とケース２３のリブ３７に挟み込まれて固定するようになっている。
【００４０】
以上のように、本実施の形態においては、ヒータ４の傾きを抑制することにより、加熱水路２４の構成を安定できるようになり、加熱水路２４の任意の断面を均一にしてスムーズに水が流れるようにすることができる。
【００４１】
（実施の形態５）
図８は、本発明の実施の形態５におけるトイレ装置の瞬間式加熱手段を示すものである。
【００４２】
本実施の形態において、実施の形態１〜４の構成と異なるところは、ケース２３に感熱板２８を固定した際、ヒータ４がケース２３のリブ３７を押しつぶすようにしたところである。なお、実施の形態１〜４と同一符号のものは同一構造を有し、説明は省略する。
【００４３】
図において、ヒータ４が感熱板２８の隔壁凸部３６とケース２３のリブ３７の両方から押さえた状態で挟み込まれるようになっている。
【００４４】
以上のように、本実施の形態においては、ヒータ４に確実に感熱板２８を接触させることにより、ヒータ４と感熱板２８との隙間がなくなり、ヒータ４の傾きを抑制し、かつ感熱板２８にヒータ４の熱を確実に伝えることができる。
【産業上の利用可能性】
【００４５】
以上のように、本発明にかかるトイレ装置は、瞬間式加熱手段が異常加熱時に瞬時に通電をＯＦＦさせ、高温水を出湯させないようにすることができるので、衛生洗浄装置として有用なものである。
【図面の簡単な説明】
【００４６】
【図１】本発明の実施の形態１におけるトイレ装置の瞬間式加熱手段の構造図
【図２】同トイレ装置の制御回路図
【図３】同トイレ装置の瞬間式加熱手段の構造図
【図４】同トイレ装置の全体水路構成図
【図５】本発明の実施の形態２におけるトイレ装置の瞬間式加熱手段の構造図
【図６】本発明の実施の形態３におけるトイレ装置の瞬間式加熱手段の断面図
【図７】本発明の実施の形態４におけるトイレ装置の瞬間式加熱手段の断面図
【図８】本発明の実施の形態５におけるトイレ装置の瞬間式加熱手段の断面図
【図９】従来のトイレ装置の瞬間式加熱手段の構造図
【符号の説明】
【００４７】
４  ヒータ
２１  瞬間式加熱手段
２２  給水手段
２３  ケース
２４  加熱水路
２６  安全装置
２７  ノズル手段
２８  感熱板
３３  流水面
３４  流水部
３５  隔壁
３６  隔壁凸部
３７  リブ
【図１】
2005139715.tif 000003
【図２】
2005139715.tif 000004
【図３】
2005139715.tif 000005
【図４】
2005139715.tif 000006
【図５】
2005139715.tif 000007
【図６】
2005139715.tif 000008
【図７】
2005139715.tif 000009
【図８】
2005139715.tif 000010
【図９】
2005139715.tif 000011